(57)【要約】【課題】  チューブを略リング状や略８の字状に形成することにより、色々な浮きの見え方を提案できると共に、浮き本体内に蓄光剤を取り替え可能に設けることにより、色を変更できる。また、蓄光剤を粉体とすることにより、長時間発光する釣り用浮きを提供する。【解決手段】  折曲自在なチューブの内側及び／又は外側に蓄光剤を設けてなる浮き本体に、釣糸に連結する支持部を設けてなることを特徴とする釣り用浮き。【選択図】図１
0003126746.tif 000002
【実用新案登録請求の範囲】
【請求項１】
折曲自在なチューブの内側及び／又は外側に蓄光剤を設けてなる浮き本体に、釣糸に連結する支持部を設けてなることを特徴とする釣り用浮き。
【請求項２】
チューブの上部及び／又は上部に、チューブを略リング状に形成すべく、連結部を設けてなることを特徴とする請求項１記載の釣り用浮き。
【請求項３】
チューブの上部及び／又は下部に、チューブを略８の字状に形成すべく、連結部を設けると共に、支持部の軸心と、略８の字状に形成したチューブの軸心を同心あるいは平行に形成してなることを特徴とする請求項１記載の釣り用浮き。
【請求項４】
チューブの内部に、空気層を設けてなることを特徴とする請求項１、２又は３記載の釣り用浮き。
【請求項５】
チューブの内部中央に空気層を設けてなることを特徴とする請求項４記載の釣り用浮き。
【請求項６】
チューブの内部の上部あるいは下部に空気層を設けてなることを特徴とする請求項４記載の釣り用浮き。
【請求項７】
分割した浮き本体内の上部全体あるいは下部全体に蓄光剤を設けてなることを特徴とする釣り用浮き。
【請求項８】
分割した浮き本体内の中心部に蓄光剤を設けてなることを特徴とする釣り用浮き。
【請求項９】
蓄光剤が粉体であることを特徴とする請求項１、２、３、４、５、６、７又は８記載の釣り用浮き。
【請求項１０】
蓄光剤が、取り替え可能であることを特徴とする請求項１、２、３、４、５、６、７、８又は９記載の釣り用浮き。
【考案の詳細な説明】
【技術分野】
【０００１】  本考案は、蓄光剤を使用してなる釣り用浮きに関するものである。
【背景技術】
【０００２】  従来の技術として、表面に蓄光材シートが貼着された釣り用浮きであって、前記蓄光材シートは透明シートの表面の少なくとも一部に大粒径蓄光剤が層状に付着し、更にその外側がベースシートで被覆されていることを特徴とするものがある。（特許文献１参照）【０００３】  また、別の従来技術として、水面上に突出する部分に不透明で且つ上下方向に起立する受光面を有した標識体が設けられており、該標識体の受光面には蓄光材を含んだ透明乃至半透明の樹脂製透光部材が被覆状に設けられていることを特徴とする発光浮きがある。（特許文献２参照）
【特許文献１】  特開２００３−３１０１１９号公報
【特許文献１】  特開平１０−２１５７４３号公報
【考案の開示】
【考案が解決しようとする課題】
【０００４】  上記前者においては、蓄光材シートを貼着してなるものであり、本考案のような蓄光剤の粉体を使用してなるものではない。
よって、発光量や発光時間が同様な材質の場合、劣るものである。
また、チューブを使用していないため、浮き本体の形状を変化させることができない。【０００５】  上記後者においても、樹脂製投光部材が被覆状に設けられており、上記と同様な問題点を有するものである。【０００６】  本考案は、従来の問題点に鑑みなされたもので、チューブを略リング状や略８の字状に形成することにより、色々な浮きの見え方を提案できると共に、浮き本体内に蓄光剤を取り替え可能に設けることにより、色を変更できる。
また、蓄光剤を粉体とすることにより、長時間発光する釣り用浮きを提供することを目的とするものである。
【課題を解決するための手段】
【０００７】  本考案は、上記目的を達成するために、折曲自在なチューブの内側及び／又は外側に蓄光剤を設けてなる浮き本体に、釣糸に連結する支持部を設けてなる。
チューブの上部及び／又は下部に、チューブを略リング状に形成すべく、連結部を設けてなる。
チューブの上部及び／又は下部に、チューブを略８の字状に形成すべく、連結部を設けると共に、支持部の軸心と、略８の字状に形成したチューブの軸心を同心あるいは平行に形成してなる。
チューブの内部に、空気層を設けてなる。
チューブの内部中央に空気層を設けてなる。
チューブの内部の上部あるいは下部に空気層を設けてなる。
分割した浮き本体内の上部全体あるいは下部全体に蓄光剤を設けてなる。
分割した浮き本体内の中心部に蓄光剤を設けてなる。
蓄光剤が粉体である。
蓄光剤が、取り替え可能であることを特徴とする。
【考案の効果】
【０００８】１）、折曲自在なチューブに蓄光剤を設けた浮き本体を、自在な形状に形成できる。
２）、連結部を設けることにより、チューブを略リング状に形成でき、立体的に見ることができる。
３）、チューブを略８の字に形成することにより、より一層立体的に見ることができる。
４）、チューブの内部（中央や上部あるいは下部）に空気層を設けることにより、確実に浮き本体を浮かせることができる。
５）、分割した浮き本体の上部全体あるいは下部全体に蓄光剤を設けることにより、特に着脱自在に形成した場合、色々な色の蓄光剤と交替できる。
６）、分割した浮き本体の中心部に蓄光剤を、特に着脱自在に設けることにより、全体を光らせると共に、色々な色の蓄光剤と交替できる。
７）、蓄光剤を粉体とすることにより輝度を著しく向上させることができ、長時間発光する。
【考案の実施するための最良の形態】
【０００９】  釣り用浮き１は、透明な折曲自在な円筒状のチューブ２ａの略上半分（略下半分でもよい）に粉体による蓄光剤３を設けてなる浮き本体２の上部をキャップ２ａで固着し、下部に釣り糸に連結する支持部４を固着してある。
なお、チューブ２の下部（上部）に空気層Ｋを設けてある。
【００１０】  釣り用浮き２１は、大チューブ２２ａと小チューブ２２ａ１の空間に、粉体による蓄光剤２３を設けてなる浮き本体２２の中心部に空気層Ｋ１を設けてなると共に、上部をキャップ２２ｂで固着し、下部に釣り糸に連結する支持部２４を設けてなるものである。
【００１１】  釣り用浮き３１は、上記釣り用浮き２１の支持部２４と同様な支持部３４のフック状の連結部５ａ及び上記キャップ２２ｂと同様なキャップ３２ｂに、フック状の連結部５ｂを設けてなり、チューブ３２ａをリング状に形成してなるものである。
【００１２】  釣り用浮き４１は、支持部４４に凸状の連結部４５ａをキャップ４２ｂに凹状の連結部４５ｂを設け、チューブ４２ａを略８の字状に形成し、支持軸４４の軸心Ｇと、略８の字状に形成したチューブ４２ａの軸心Ｇ１を平行（同心）に形成してなるものである。
【００１３】  釣り用浮き５１は、上下に分割した浮き本体５２の上部浮き本体５２ｂの内部に粉体による蓄光剤５３を蓋５２ｃにて漏れないように設けると共に、下部浮き本体５２ａ内に空気層Ｋ３を設けてある。
なお、上部浮き本体５２ｂと上部浮き本体５２ａは接着剤等で固着してもよいが、ネジ等で着脱自在に固着してもよく、かつ、蓄光剤５３を取り替え可能とする。
【００１４】  釣り用浮き６１は、上下に分割した蓄光剤受部Ｕを形設した上部浮き本体６２ｂと下部浮き本体６２ａとからなる浮き本体６２の中心部の蓄光剤受部Ｕ・Ｕに軸状の蓄光剤６３を設けてなるものである。
なお、蓄光剤６３は、粉体を焼結等により軸状に形成する方法やチューブに入れる方法等、色々考えられ、特に限定するものではない。
【００１５】  上記各実施例における蓄光剤の成分は、特に限定されるものではなく、輝度の高いものが有効とする。
また、チューブの大きさや空気層の量等も必要に応じて決めればよい。
【図面の簡単な説明】
【００１６】
【図１】  本考案の第１実施例を示す釣り用浮きの縦断正面図。
【図２】  本考案の第２実施例を示す釣り用浮きの縦断正面図。
【図３】  本考案の第３実施例の釣り用浮きの使用状態を示す正面図。
【図４】  本考案の第４実施例の釣り用浮きの使用状態を示す正面図。
【図５】  本考案の第５実施例を示す釣り用浮きの縦断正面図。
【図６】  本考案の第６実施例を示す釣り用浮きの縦断正面図。
【符号の説明】
【００１７】１−−−釣り用浮き
２−−−浮き本体
２ａ−−チューブ
３−−−蓄光剤
４−−−支持部
５−−−連結部
Ｋ−−−空気層
Ｇ−−−軸心
Ｕ−−−受部
【図１】
0003126746.tif 000003
【図２】
0003126746.tif 000004
【図３】
0003126746.tif 000005
【図４】
0003126746.tif 000006
【図５】
0003126746.tif 000007
【図６】
0003126746.tif 000008